(57)【要約】【課題】ＩＣパッケージのリードの形状やサイズ、あるいは厚さ等が異なっても適合できるように設定されるリード受け部を有するショートリードおよびロングリードのＩＣパッケージに共用できるＩＣソケットを構成する。【解決手段】複数個の二点接触構造のコンタクトと、該二点接触構造のコンタクトを有するソケット本体と、該ソケット本体上に装着されるＩＣパッケージと、上下動可能なカバー部材と、前記二点接触構造のコンタクトを開閉作動する作動機構とを有するＩＣソケットにおいて、前記二点接触構造のコンタクトが、固定コンタクト部と、該固定コンタクト部に対応して可動可能に設けられた可動コンタクト部と、前記作動機構によって作動される作動部と、ショートリードおよびロングリードのＩＣパッケージに共用可能なリード受け部とを有する。【選択図】　　　　図１
2004103430.tif 000002
【特許請求の範囲】
【請求項１】
複数個の二点接触構造のコンタクトと、該二点接触構造のコンタクトを有するソケット本体と、該ソケット本体上に装着されるＩＣパッケージと、上下動可能なカバー部材と、前記二点接触構造のコンタクトを開閉作動する作動機構とを有するＩＣソケットにおいて、
前記二点接触構造のコンタクトが、固定コンタクト部と、該固定コンタクト部に対応して可動可能に設けられた可動コンタクト部と、前記作動機構によって作動される作動部と、ショートリードおよびロングリードのＩＣパッケージに共用可能なリード受け部とを有することを特徴とするＩＣソケット。
【請求項２】
前記固定コンタクト部が、前記リードの下面と接する前記リード受け部を形成し、前記可動コンタクト部が、前記リードの上面を押圧する接触部を形成していることを特徴とする請求項１記載のＩＣソケット。
【請求項３】
前記固定コンタクト部が、前記ソケット本体に対して比較的に固定であることを特徴とする請求項１記載のＩＣソケット。
【請求項４】
前記二点接触構造のコンタクトは、前記固定コンタクト部、前記可動コンタクト部および前記作動部が弾性変形可能な構造に一体的に形成されていることを特徴とする請求項２記載のＩＣソケット。
【請求項５】
前記カバー部材に前記作動機構のカムを設けて、装着される前記ＩＣパッケージのリードに対応して前記可動コンタクト部の前記接触部を作動することを特徴とする請求項１記載のＩＣソケット。
【請求項６】
前記可動コンタクト部は、前記カバー部材が押圧される時に前記可動コンタクト部の前記接触部が前記リード受け部から離れるように弾性変形されることを特徴とする請求項２記載のＩＣソケット。
【請求項７】
前記ソケット本体の中央に前記ＩＣパッケージを配置して位置決めするための位置決め部を有することを特徴とする請求項１記載のＩＣソケット。
【請求項８】
前記リード受け部は、厚さの異なるＩＣパッケージに適用できることを特徴とする請求項１記載のＩＣソケット。
【発明の詳細な説明】
【０００１】
【発明の属する技術分野】
本発明は、形状やサイズ等の異なるＩＣリードを有するＩＣパッケージが装着されるＩＣソケットに係るもので、特に、ショートリードやロングリードを有するＩＣパッケージや厚さの異なるＩＣパッケージ等を装着する際に、ＩＣパッケージのリードを受けて支持するための共用可能なリード受け部を有するＩＣソケットに関するものである。
【０００２】
【従来の技術】
従来、電気部品としてのＩＣパッケージ等が装着されるＩＣソケットにおいては、ソケット本体が保有するコンタクトと、このようなソケット本体に装着されたＩＣパッケージのＩＣリードとの開閉を行うＩＣソケットが知られている。
【０００３】
このような従来におけるＩＣソケットにおいては、形状やサイズの異なるＩＣリードを有するＩＣパッケージ毎に、専用のＩＣソケットと取り換えて対応するようにしている。（例えば、特許文献１参照。）。
【０００４】
【特許文献１】
特開平９−３２０７１６号公報（第３頁、図１、図２）
【０００５】
【発明が解決しようとする課題】
上記文献には、種類の異なるＩＣパッケージ毎に、対応するサイズの保持具を準備して適用させるようにしたＩＣソケットが記載されている。
【０００６】
また、従来のＩＣソケットの一例が図７乃至図１２に示されており、図７乃至図９がショートリード専用のＩＣソケットであり、図１０乃至図１２がロングリード専用のＩＣソケットである。
【０００７】
図７乃至図９のショートリード専用のＩＣソケットと、図１０乃至図１２のロングリード専用のＩＣソケットは、それぞれ所要のリード長さに適合するように設定された寸法ＨＳ、ＨＬを有する以外には、実質的にほぼ同一構成のＩＣソケットにそれぞれ形成されている。
【０００８】
図７に示されるように、ショートリード専用のＩＣソケット１００は、ソケット本体１０２と、中央に窪み部分を有する上下動可能なカバー１０３と、カバー１０３の下部に設けられた作動機構１０４と、ソケット本体１０２に設けられる複数個の二点接触構造のコンタクト１０５とを有しており、周辺または左右両側の多数の外部コンタクトとしてのショートリード１１１ａを有するＩＣパッケージ１１０がソケット本体１０２に装着されるように構成されており、特に、ＩＣパッケージ装着部１０６の寸法がショートリード用のＩＣパッケージの寸法ＨＳに設定されている。コンタクト１０５は、固定コンタクト部１１４と、この固定コンタクト部１１４に対応して可動可能に設けられた可動コンタクト部１１５とを有する屈曲した特異な形状の二点接触構造に形成されている。また、コンタクト１０５は、ソケット本体１０２に取付けられるベース部１１７を有しており、下方に突出する端子部１１８がベース部１１７に設けられていて、検査装置や他の適宜な装置等に差込んで取付けできるように構成されている。従って、カバー１０３が押圧される時に、作動機構１０４のカム面１１３によりコンタクト１０５の作動部１１６が外側に向って移動されて可動コンタクト部１１５が開放されるようになっている。
【０００９】
他方、ロングリード専用のＩＣソケット２００は、上記のショートリード専用のＩＣソケット１００と実質的に同一の構成をなすように、ソケット本体２０２と、カバー部材２０３と、作動機構２０４と、コンタクト２０５と、ＩＣパッケージ２０６と、固定コンタクト部２１４と、可動コンタクト部２１５と、作動部２１６と、ベース部２１７と、端子部２１８等を有するように作られているが、ＩＣパッケージ装着部２０６の寸法がロングリード用のＩＣパッケージの寸法ＨＬに設定されていることが相違している。もしも、これを、ショートリード用のＩＣソケット１００と、ロングリード用のＩＣソケット２００とを共用させるようにすると、ロングリード２１１がショートリード１１１よりも長い分だけリード長さに適合できるようにＩＣソケット１００のソケット本体１０２の対応部分が干渉しないように形成しなければならないが、いかようにしてもこの対応部分がロングリード２１１の挿入時の、ＩＣソケット１００の干渉部分１０９（図８）として作用するために、ショートリード用のＩＣソケット１００を、ロングリード用のＩＣソケット２００として共用することが全く不可能である。
【００１０】
従って、従来のこのようなＩＣソケットにおいては、形状やサイズの異なるＩＣリードを有するＩＣパッケージ毎に、ＩＣソケットをそれぞれ専用のものと取り換えなけれなならず、このようなＩＣソケットの取り換えは、操作の手間が余分にかかり、多くの金型を必要として金型のコストや設備投資および開発費用と人件費等を多大なものに増大するものである。さらに、ＩＣリードの外形は同じであるが、パッケージ本体の外形が厚い、または薄いことによってスタンドオフ高さが異なるＩＣパッケージでは、まったく使用できない。
【００１１】
従って、本発明の目的は、このような従来における問題を解決するために、ＩＣパッケージのリードの形状やサイズ、あるいは厚さ等が異なっても適合できるように設定されるリード受け部を有する、ショートリードおよびロングリードのＩＣパッケージに共用可能なＩＣソケットを提供することにある。
【００１２】
【課題を解決するための手段】
上述の目的を達成するために、本発明のＩＣソケットは、複数個の二点接触構造のコンタクトと、該二点接触構造のコンタクトを有するソケット本体と、該ソケット本体上に装着されるＩＣパッケージと、上下動可能なカバー部材と、前記二点接触構造のコンタクトを開閉作動する作動機構とを有するＩＣソケットにおいて、前記二点接触構造のコンタクトが、固定コンタクト部と、該固定コンタクト部に対応して可動可能に設けられた可動コンタクト部と、前記作動機構によって作動される作動部と、ショートリードおよびロングリードのＩＣパッケージに共用可能なリード受け部とを有することを特徴とする。
【００１３】
また、本発明のＩＣソケットは、前記固定コンタクト部が、前記リードの下面と接する前記リード受け部を形成し、前記可動コンタクト部が、前記リードの上面を押圧する接触部を形成していることを特徴とする。
【００１４】
さらに、本発明のＩＣソケットは、前記固定コンタクト部が、前記ソケット本体に対して比較的に固定であることを特徴とする。
【００１５】
さらにまた、本発明のＩＣソケットは、前記二点接触構造のコンタクトが、前記固定コンタクト部、前記可動コンタクト部および前記作動部が弾性変形可能な構造に一体的に形成されていることを特徴とする。
【００１６】
本発明のＩＣソケットは、前記カバー部材に前記作動機構のカムを設けて、装着される前記ＩＣパッケージのリードに対応して前記可動コンタクト部の前記接触部を作動することを特徴とする。
【００１７】
また、本発明のＩＣソケットは、前記可動コンタクト部は、前記カバー部材が押圧される時に前記可動コンタクト部の前記接触部が前記リード受け部から離れるように弾性変形されることを特徴とする。
【００１８】
さらに、本発明のＩＣソケットは、前記ソケット本体の中央に前記ＩＣパッケージを配置して位置決めするための位置決め部を有することを特徴とする。
【００１９】
さらにまた、本発明のＩＣソケットは、前記リード受け部が、厚さの異なるＩＣパッケージに適用できることを特徴とする。
【００２０】
本発明のその他の目的や特徴および利点は、添付図面に示される本発明の実施形態についての以下の詳細な説明から明らかである。
【００２１】
【発明の実施の形態】
図１乃至図６は、本発明におけるＩＣソケットの実施例を図示、説明するための図で、図１は、ショートリードのＩＣパッケージ収納状態時における本発明のＩＣソケットの中央縦断面図で、図２は、図１のＩＣソケットのリード受け部の拡大部分図、図３は図１のＩＣソケットのＩＣパッケージ接触状態時の同様な中央縦断面図で、図４は、ロングリードのＩＣパッケージ収納状態時における本発明のＩＣソケットの中央縦断面図で、図５は、図４のＩＣソケットのリード受け部の拡大部分図、図６は図４のＩＣソケットのＩＣパッケージ接触状態時の同様な中央縦断面図である。
【００２２】
図１乃至図６に示されるように、本発明のＩＣソケットは、所謂ショートリードあるいはロングリードとしての外部コンタクトを有するＩＣパッケージが適用されるＩＣソケットに係わるもので、ショートリードまたはロングリードを有するいずれのＩＣパッケージにも共用できるものである。このような本発明のＩＣソケット１は、ソケット本体２と、中央に空間部分を有する枠形の上下動可能なカバー部材３と、カバー部材３の下部に設けられた作動機構４と、ソケット本体２に設けられる複数個の二点接触構造のコンタクト５とを有しており、周辺または左右両側に多数の外部コンタクトとしてのＩＣリード１１を有するＩＣパッケージ１０が、ソケット本体２の中央のＩＣパッケージ装着部６上に、位置決め部８によって正確に位置決めされて装着されるように構成されている。
【００２３】
本発明におけるＩＣソケットは、実施例１として図１乃至図３に本発明のＩＣソケットにショートリードのＩＣパッケージが装着される場合のＩＣパッケージ収納状態と接触状態が図示されており、実施例２として図４乃至図６にロングリードのＩＣパッケージが装着される場合のＩＣパッケージ収納状態と接触状態が図示されている。なお、以下の本発明の実施例１と実施例２においては、実際に異なるのは、ＩＣパッケージ１０、２０が、ショートリード１１を有しているか、あるいはロングリード２１を有しているか、あるいはまた厚さが異なるかだけであり、１つのＩＣソケット１がショートリード１１を有するＩＣパッケージ１０と、ロングリード２１を有するＩＣパッケージ２０や、厚さの異なるいずれのＩＣパッケージ等にも共用することができるもので、同一構成のソケット構造を成すものであり、従って、同一部分には同一の符号を用いて以下に説明される。
【００２４】
（実施例１）
先ず、図１乃至図３に示されるショートリードのＩＣパッケージの場合について、本発明のＩＣソケットの実施例１を以下に説明する。
【００２５】
図１に示されるように、本発明のＩＣソケット１におけるＩＣパッケージ１０は、形状が正方形または長方形で、左右両側の側辺部分に沿って多数の外部コンタクトとしてのＩＣリード１１が突出するタイプのものであるが、このような正方形の形状に特に限定されるものではなく、長方形等のような形状でも良く、さらにまた、ＩＣリード１１も、ショートリードやロングリード、あるいは左右両側だけに突出するものに限られるものではなく、周囲の四方に突出することができるように設られたものでも良いことは勿論であり、さらに、パッケージ本体の厚さの異なるＩＣパッケージ１０にも好適に適用できるものである。
【００２６】
なお、ここで、ＩＣパッケージ１０のＩＣリード１１の外形が同じで、パッケージ本体の厚さが厚かったり薄かったりすることによって、スタンドオフ高さが異なる、と言われる。言い換えれば、「スタンドオフ高さ」とは、ＩＣパッケージのＩＣリードの下面に対するパッケージ本体の下面との間の高さを言うものである。
【００２７】
図示されるように、本発明のＩＣソケット１において、ソケット本体２は、装着すべきＩＣパッケージ１０等が載置されるＩＣパッケージ装着部６が、ソケット本体２の中央部分に設けられており、左右両側に多数のコンタクト５が並列して取付けられている。また、ＩＣパッケージ装着部６には、ＩＣパッケージ１０を装着した時に、ＩＣパッケージ１０を確実に、しかも正確に位置決めするための位置決め部８が設けられている。この位置決め部８は、ＩＣパッケージ装着部６の周辺部分に設けられており、ＩＣパッケージ１０の周辺部に当接してＩＣパッケージ１０を支持するように形成されている。
【００２８】
また、カバー部材３は、中央に空間部分が設けられた枠形に形成されており、上面の外周縁辺部分に押圧部９を有していて、カム面１３が形成されたカム１２を有する作動機構４が下部に設けられると共に、コンタクト５の可動コンタクト部１５を作動する作動部１６のための作動空間部分が形成されている。
【００２９】
このように、カバー部材３の下方部分には、コンタクト５の可動コンタクト部１５の作動部１６が収容される作動空間部分が形成されており、カバー部材３を押圧した時に、カバー部材３の下部の作動機構４のカム１２のカム面１３によって可動コンタクト部１５側の作動部１６の先端部が図１において外側に向って押されて、可動コンタクト部１５が彎曲変形され、これによって可動コンタクト部１５の可動接点部１５ａが固定コンタクト部１４の固定接点部１４ａから離されてＩＣパッケージ１０のショートリード１１がフリーになるので、ロボットや手動によってＩＣパッケージ１０を取り出したり、あるいはＩＣパッケージ１０を装着することができ、図１のショートリードのＩＣパッケージ収納状態が得られる。
【００３０】
図示されるように、コンタクト５は、固定コンタクト部１４と、この固定コンタクト部１４に対応して可動可能に設けられた可動コンタクト部１５とを有するように二点接触構造に形成されており、固定コンタクト部１５のベース部１７においてソケット本体２に固着されていて、このベース部１７から条片部１９が上方に直立して延び、かつほぼ直角に屈曲しており、この条片部１９の上部において固定コンタクト部１４と可動コンタクト部１５と作動部１６とに分岐されている。さらに、コンタクト５は、ベース部１７から下方に端子部１８が突出していて、図示しない他の適宜な装置の接続端子と接続できるようになっている。
【００３１】
このように、コンタクト５は、固定コンタクト部１４と可動コンタクト部１５と、作動機構４のカム従動子をなす作動部１６とを有する屈曲した特異な形状の二点接触構造に形成されている。また、コンタクト５は、ソケット本体２に取付けられるベース部１７から上方に屈曲して延びる条片部１９を有しており、条片部１９の上部において可動コンタクト部１５と作動部１６とが分岐すると共に、固定コンタクト部１４に固定接点部１４ａが形成されており、この固定コンタクト部１４においてＩＣパッケージ１０のショートリード１１と接触してショートリード１１を下方から支持するように成ったリード受け部７を構成しており、このリード受け部７の上面が平らに形成されていて、ＩＣパッケージ１０のショートリード１１、すなわちＩＣリードの装着時の引っ掛りを抑えることができるように形成されている。
【００３２】
他方、コンタクト５の可動コンタクト部１５は、固定コンタクト部１４の条片部１９においてさらに分岐した作動部１６を有しており、可動コンタクト部１５の可動接点部１５ａの先端部分においてＩＣパッケージ１０の外部コンタクトであるショートリード１１を上方から押して接触するように形成されている。また、条片部１９において分岐して作動部１６が上方に突出して延びており、この作動部１６の先端部が、カバー部材３の下部に設けられた作動機構４のカム１２のカム面１３とカム係合してコンタクト５を開放作動するように構成されている。このように、特異な形状に形成されたコンタクト５は、屈曲した条片部１９において弾性変形できるように形成されている。
【００３３】
また、可動コンタクト部１５と一緒に、屈曲した条片部１９から分岐して上方に延びる作動部１６は、先端が図示されるようにカバー部材３の下部の作動機構４のカム１２のカム面１３と当接するように配置されており、カバー部材３が下方に押圧される時に、カム１２のカム面１３によってカム作動されて可動コンタクト部１５の作動部１６の先端部分を図示で外方に押圧して可動コンタクト部１５を外側に向って僅かに彎曲させるので、この可動コンタクト部１５の外方への変形によって可動コンタクト部１５の可動接点部１５ａが、固定コンタクト部１４の固定接点部１４ａ上に置かれているＩＣパッケージ１０の外部コンタクトであるショートリード１１から離されて、図１に示されるように固定コンタクト部１４の固定接点部１４ａと、可動コンタクト部１５の可動接点部１５ａとが開離されるようになる。従って、このような状態において、ＩＣパッケージ装着部６に装着されているＩＣパッケージ１０を取り出すことができるし、また、ＩＣパッケージ装着部６にＩＣパッケージ１０を装着して収納することができ、図１に示されるように、ショートリード１１を有するＩＣパッケージ１０が装着されて収納できる。
【００３４】
この場合に、本発明においては、図２に示されるように、ＩＣパッケージ１０のショートリード１１は、固定コンタクト部１４の平らなリード受け部７の上に配置されており、かつ位置決めされているので、ショートリード１１の先端が十分な余裕をもってリード受け部７上に好適に位置されて支持されるようになる。
【００３５】
従って、このようにカバー部材３の押圧によって可動コンタクト部１５の可動接点部１５ａが、固定コンタクト部１４の固定接点部１４ａや、ＩＣパッケージ１０の外部コンタクトであるショートリード１１から離されてＩＣパッケージ１０が自由になるので、ＩＣパッケージ１０を新たに装着して収納できるし、あるいはまた、既に収納されているＩＣパッケージ１０をロボットや手動によって取り出すことができるようになり、図１および図２に示される如くショートリードのＩＣパッケージ１０の場合にも固定コンタクト部１４のリード受け部７の上に良好に配置されて支持されるようになる。
【００３６】
次いで、カバー部材３の押圧が解除されてカバー部材３が図３に示されるように上昇されて上方に位置されると、コンタクト５の作動部１６がフリーになって可動コンタクト部１５と作動部１６は、コンタクト５自体の弾性によって図示の状態に戻り、可動コンタクト部１５が固定コンタクト部１４に対して接触する状態に戻るために、ＩＣパッケージ装着部６に載置されているショートリードのＩＣパッケージ１０は、外部コンタクトであるショートリード１１の上に可動コンタクト部１５の可動接点部１５ａが押圧されて接触され、図３のパッケージ接触状態となり、固定コンタンクト部１４のリード受け部７と可動コンタクト部１５の可動接点部１５ａの間にＩＣパッケージ１０のショートリード１１が図示の如く挟持されて、しっかりと支持されるようになる。
【００３７】
この時に、可動コンタクト部１５は、可動接点部１５ａの内側の山形の突状部分がソケット本体２の突出カム状部分に当たりコンタクト５のバラツキを強制的に抑えることができるようにコンタクト５が構成されているものである。
【００３８】
このように、本発明のＩＣソケット１においては、ＩＣパッケージ１０の装着に際して、ＩＣパッケージ１０が傾いたり、あるいは回転が発生したりしても、固定コンタクト部１４の上面が平らなリード受け部７によってＩＣパッケージ１０のショートリード１１等の外部リードが良好に受けられて支持されるので、ＩＣパッケージ１０のショートリード１１等のような外部コンタクトがリード受け部７に何等まったく引っ掛ることが無く、リード受け部７のフラットな面の上に良好に乗って引っ掛り等を発生することがない。さらに、これによって、リード外形が同じであるが、パッケージ本体の外形が厚い、または薄いことによって、所謂、スタンドオフ高さが異なるＩＣパッケージであっても、何の不都合も無く本発明のＩＣソケット１を良好に適用することができる。
【００３９】
（実施例２）
このようなショートリードのＩＣパッケージに代ってロングリードのＩＣパッケージを装着する場合には、図４乃至図６に示されるように、上記と同一の本発明のＩＣソケットを用いて装着することができる。
【００４０】
先ず、図４に示されるように、ロングリード２１のＩＣパッケージ２０が、本発明におけるＩＣソケット１のＩＣパッケージ装着部６上に載置される。こうして、ＩＣパッケージ装着部６上に装着されたＩＣパッケージ２０は、ロングリード２１が図５に明示されるように、ＩＣソケット１の固定コンタクト部１４の、平らなリード受け部７の上に良好に配置されて支持されるようになり、これによってロングリード２１のＩＣパッケージ２０における所要の設定寸法が得られるようになる。
【００４１】
この場合に、ＩＣパッケージ２０のロングリード２１は、図５に明示されるように、固定コンタクト部１４のリード受け部７の上に好適に配置されて何等の邪魔も、不都合も無く、良好に支持されるようになる。
【００４２】
このように、図４および図５に示されるように、本発明のＩＣソケット１の実施例２においては、ＩＣパッケージ装着部６の上に載置されたＩＣパッケージ２０は、ロングリード２１が固定コンタクト部１４のリード受け部７の上に良好に配置されて支持されるものであり、先の実施例１におけると同じＩＣソケット１を用いることができ、ショートリードであってもロングリードであっても、あるいは厚さの異なるＩＣパッケージ２０であっても好適に共用して適用することができる。
【００４３】
次いで、カバー部材３の押圧が解除されて、カバー部材３が図６に示されるように上昇されて上方に位置されると、上述したと同様に、コンタクト５の作動部１６がフリーになって、可動コンタクト部１５と作動部１６は、コンタクト５自体の弾性によって図示の状態に戻り、可動コンタクト部１５が固定コンタクト部１４に対して接触する状態に戻るために、ＩＣパッケージ装着部６に載置されているロングリードのＩＣパッケージ２０は、外部コンタクトであるロングリード２１の上に可動コンタクト部１５の可動接点部１５ａが押圧されて接触され、図６のパッケージ接触状態となって、固定コンタンクト部１４のリード受け部７と可動コンタクト部１５の可動接点部１５ａとの間にＩＣパッケージ２０のロングリード２１が図示のように挟持されて、しっかりと支持されるようになる。
【００４４】
上述したように、このような本発明のＩＣソケット１においては、カバー部材３をロボットや手動によって押圧すれば、カバー部材３が、下方に降下して、先ず、カム面１３がコンタクト５の作動部１６の先端部分に接触して、コンタクト５を回動するようにコンタクト５を外方に押圧するので、これによってコンタクト５が外方に変位され、可動コンタクト部１５が固定コンタクト部１４またはＩＣパッケージ２０の外部コンタクトであるＩＣリード２１（ロングリード）から離れるので、ＩＣパッケージ２０を取り出すことができるし、あるいはまたＩＣパッケージ２０を装着することができる。
【００４５】
さらにまた、ＩＣパッケージ２０を装着する場合には、ＩＣパッケージ２０が傾いたり、回転が起こったりしても、ＩＣパッケージ２０のＩＣリード２１が、固定コンタクト部１４の上面が平らなリード受け部７によって良好に受けられて支持されるので、ＩＣパッケージ２０のロングリード２１等の外部コンタクトがリード受け部７に何等まったく引っ掛ることが無く、リード受け部７のフラットな面の上に良好に乗って引っ掛り等を発生しない。従って、リード外形が同じであるが、パッケージ本体の外形が厚い、または薄いことによってスタンドオフ高さが異なるＩＣパッケージであっても何の不都合も無く、良好に適用することができる。
【００４６】
このように本発明においては、上記した実施例１におけるＩＣソケット１を、そのまま何等の変更を加えること無く本実施例のロングリード２１のＩＣパッケージ２０にも共用することができるものであり、さらにまた、リード外形が同じで、厚さの異なるどのようなスタンドオフ高さが異なるＩＣパッケージ２０であっても、本発明のＩＣソケット１に好適に適用することができるものである。
【００４７】
【発明の効果】
本発明の請求項１記載のＩＣソケットは、複数個の二点接触構造のコンタクトと、該二点接触構造のコンタクトを有するソケット本体と、該ソケット本体上に装着されるＩＣパッケージと、上下動可能なカバー部材と、前記二点接触構造のコンタクトを開閉作動する作動機構とを有するＩＣソケットにおいて、前記二点接触構造のコンタクトが、固定コンタクト部と、該固定コンタクト部に対応して可動可能に設けられた可動コンタクト部と、前記作動機構によって作動される作動部と、ショートリードおよびロングリードのＩＣパッケージに共用可能なリード受け部とを有するので、ショートリードおよびロングリードの如何を問わず、かつまた厚さの異なるいずれのＩＣパッケージにも共用できるＩＣソケットを得ることができ、ショートリードやロングリードの専用ソケットを用いる必要が無く、設備費用は勿論のこと、開発費用等をも大いに削減することができ、さらにコンタクトのバラツキを抑えることができる。
【００４８】
本発明の請求項２記載のＩＣソケットは、前記固定コンタクト部が、前記リードの下面と接する前記リード受け部を形成し、前記可動コンタクト部が、前記リードの上面を押圧する接触部を形成しているので、ショートリードとロングリードや厚さの異なるＩＣパッケージに対してコンタクトを共用できるように効果的に用いて良好に構成することができるし、コンタクトのバラツキを抑えることができる。
【００４９】
本発明の請求項３記載のＩＣソケットは、前記固定コンタクト部が、前記ソケット本体に対して比較的に固定であるので、ＩＣパッケージのリードを良好に挟持して支持することができる。
【００５０】
本発明の請求項４記載のＩＣソケットは、前記二点接触構造のコンタクトが、前記固定コンタクト部、前記可動コンタクト部および前記作動部が弾性変形可能な構造に一体的に形成されているので、コンタクトの配置が容易に、かつ簡単にできると共に、コンタクトのバラツキを抑えることができ、ＩＣソケットをコンパクトな構成に製作することができる。
【００５１】
本発明の請求項５記載のＩＣソケットは、前記カバー部材に前記作動機構のカムを設けて、装着される前記ＩＣパッケージのリードに対応して前記可動コンタクト部の前記接触部を作動するので、固定コンタクト部に対して可動コンタクト部の作動を確実に行ってコンタクトを良好に開閉することができる。
【００５２】
本発明の請求項６記載のＩＣソケットは、前記可動コンタクト部が、前記カバー部材が押圧される時に前記可動コンタクトの前記接触部が前記リード受け部から離れるように弾性変形されるので、コンタクトを良好に開閉作動することができる。
【００５３】
本発明の請求項７記載のＩＣソケットは、前記ソケット本体の中央に前記ＩＣパッケージを配置して位置決めするための位置決め部を有するので、ショートリードおよびロングリード、あるいは厚さの異なるいずれのＩＣパッケージでもＩＣパッケージ装着部に正確に、かつ確実に位置決めして配置することができる。
【００５４】
本発明の請求項８記載のＩＣソケットは、前記リード受け部が、厚さの異なるＩＣパッケージに適用できるので、リード長さの相違に加えて厚さの異なるどのようなＩＣパッケージにも共用することができ、かつまたコンタクトのバラツキを抑えることができるものである。
【図面の簡単な説明】
【図１】ショートリードのＩＣパッケージ収納状態時における本発明のＩＣソケットの実施例１の中央縦断面図である。
【図２】図１の本発明のＩＣソケットのリード受け部の拡大部分図である。
【図３】図１の本発明のＩＣソケットのＩＣパッケージ接触状態時の同様な中央縦断面図である。
【図４】ロングリードのＩＣパッケージ収納状態時における本発明のＩＣソケットの実施例２の中央縦断面図である。
【図５】図４の本発明のＩＣソケットのリード受け部の拡大部分図である。
【図６】図４の本発明のＩＣソケットのＩＣパッケージ接触状態時の同様な中央縦断面図である。
【図７】従来のショートリード専用ＩＣソケットにおけるＩＣパッケージ収納状態時の中央縦断面図である。
【図８】図７の従来のショートリード専用ＩＣソケットにおけるリード部分の拡大部分図である。
【図９】図７の従来のショートリード専用ＩＣソケットにおけるＩＣパッケージ接触状態時の同様な中央縦断面図である。
【図１０】従来のロングリード専用ＩＣソケットにおけるＩＣパッケージ収納状態時の中央縦断面図である。
【図１１】図１０の従来のロングリード専用ＩＣソケットにおけるリード部分の拡大部分図である。
【図１２】図１０の従来のロングリード専用ＩＣソケットにおけるＩＣパッケージ接触状態時の同様な中央縦断面図である。
【符号の説明】
１　　　　ＩＣソケット
２　　　　ソケット本体
３　　　　カバー部材
４　　　　作動機構
５　　　　二点接触構造のコンタクト
６　　　　ＩＣパッケージ装着部
７　　　　リード受け部
８　　　　位置決め部
９　　　　押圧部
１０　　　ＩＣパッケージ
１１　　　ＩＣリード（外部コンタクト）
１２　　　カム
１３　　　カム面
１４　　　固定コンタクト部
１５　　　可動コンタクト部
１６　　　作動部
１７　　　ベース部
１８　　　端子部
１９　　　条片部
２０　　　ＩＣパッケージ
２１　　　ＩＣリード（外部コンタクト）
【図１】
2004103430.tif 000003
【図２】
2004103430.tif 000004
【図３】
2004103430.tif 000005
【図４】
2004103430.tif 000006
【図５】
2004103430.tif 000007
【図６】
2004103430.tif 000008
【図７】
2004103430.tif 000009
【図８】
2004103430.tif 000010
【図９】
2004103430.tif 000011
【図１０】
2004103430.tif 000012
【図１１】
2004103430.tif 000013
【図１２】
2004103430.tif 000014